(57)【要約】    【課題】構造を簡単にし、また製造を容易にする。    【解決手段】ケーシング１にステータ２を固定し、ケーシング１に回転軸７を回転可能に支持し、回転軸７に凹部８を設け、凹部８の底部両側には矩形状の張出凹部を設け、凹部８に取付部材１０を取り付け、取付部材１０の両側部に矩形状の張出凸部を設け、張出凸部を張出凹部に係合し、回転軸７に取付部材１０が取り付けられた状態の、取付部材１０が取り付けられた部分の回転軸７、取付部材１０の断面外形を円形にし、取付部材１０の回転軸７側の面すなわち内側面に永久磁石１２を取り付ける。【選択図】        図１
2008154329.tif 000002
【特許請求の範囲】
【請求項１】
ケーシングに固定されたステータと、上記ケーシングに回転可能に支持された回転軸と、上記回転軸に取り付けられた取付部材と、取付部材の内側面に取り付けられた永久磁石とを具備することを特徴とする永久磁石埋め込みモータ。
【請求項２】
上記回転軸に張出凹部を有する凹部を設け、上記取付部材に張出凸部を設け、上記凹部内に上記取付部材を取り付け、上記張出凹部に上記張出凸部係合したことを特徴とする請求項１に記載の永久磁石埋め込みモータ。
【請求項３】
上記回転軸に第１の半円凹部を有する凹部を設け、上記取付部材に第２の半円凹部を設け、上記凹部内に上記取付部材を取り付け、上記第１、第２の半円凹部内にピンを挿入したことを特徴とする請求項１に記載の永久磁石埋め込みモータ。
【請求項４】
上記回転軸に凹部を設け、上記凹部内に上記取付部材を接着により取り付けたことを特徴とする請求項１に記載の永久磁石埋め込みモータ。
【発明の詳細な説明】
【技術分野】
【０００１】
本発明は埋め込まれた永久磁石を有する永久磁石埋め込みモータに関するものである。
【背景技術】
【０００２】
従来の永久磁石埋め込みモータにおいては、特許文献１に示されるように、回転軸にロータが取り付けられ、ロータの内部にスリットが設けられ、スリット内に永久磁石が挿入されている。
【０００３】
この永久磁石埋め込みモータにおいては、リラクタンストルクを有効に利用することができるから、効率が良好である。
【特許文献１】特開２０００−５０５４３号公報
【発明の開示】
【発明が解決しようとする課題】
【０００４】
しかし、このような永久磁石埋め込みモータにおいては、回転軸にロータが取り付けられているから、構造が複雑になり、またロータの内部にスリットを設ける必要があるから、製造が困難である。
【０００５】
本発明は上述の課題を解決するためになされたもので、構造が簡単であり、また製造が容易である永久磁石埋め込みモータを提供することを目的とする。
【課題を解決するための手段】
【０００６】
この目的を達成するため、本発明においては、ケーシングに固定されたステータと、上記ケーシングに回転可能に支持された回転軸と、上記回転軸に取り付けられた取付部材と、取付部材の内側面に取り付けられた永久磁石とを設ける。
【０００７】
この場合、上記回転軸に張出凹部を有する凹部を設け、上記取付部材に張出凸部を設け、上記凹部内に上記取付部材を取り付け、上記張出凹部に上記張出凸部係合してもよい。
【０００８】
また、上記回転軸に第１の半円凹部を有する凹部を設け、上記取付部材に第２の半円凹部を設け、上記凹部内に上記取付部材を取り付け、上記第１、第２の半円凹部内にピンを挿入してもよい。
【０００９】
また、上記回転軸に凹部を設け、上記凹部内に上記取付部材を接着により取り付けてもよい。
【発明の効果】
【００１０】
本発明に係る永久磁石埋め込みモータにおいては、回転軸にロータが取り付けられていないから、構造が簡単であり、また回転軸の内部にスリットを設ける必要がないから、製造が容易である。
【００１１】
また、回転軸に張出凹部を有する凹部を設け、取付部材に張出凸部を設け、凹部内に取付部材を取り付け、張出凹部に張出凸部係合したときには、回転軸が回転したときの遠心力によって取付部材が回転軸から外れるのを確実に防止することができる。
【００１２】
また、回転軸に第１の半円凹部を有する凹部を設け、取付部材に第２の半円凹部を設け、凹部内に取付部材を取り付け、第１、第２の半円凹部内にピンを挿入したときには、回転軸が回転したときの遠心力によって取付部材が回転軸から外れるのを確実に防止することができ、しかも製造が容易である。
【００１３】
また、回転軸に凹部を設け、凹部内に取付部材を接着により取り付けたときには、製造が容易である。
【発明を実施するための最良の形態】
【００１４】
図１は本発明に係る永久磁石埋め込みモータを示す概略断面図、図２は図１のＡ−Ａ拡大断面図である。図に示すように、ケーシング１にステータ２が固定され、ケーシング１に軸受支え３、４が固定され、軸受支え３、４に軸受５、６を介して炭素鋼からなる回転軸７が回転可能に支持されている。すなわち、ケーシング１に回転軸７が回転可能に支持されている。また、回転軸７に凹部８が設けられ、凹部８の底部両側には矩形状の張出凹部９が設けられ、張出凹部９は回転軸７の中心軸と直角に交わる直線に対して直角な直線と平行な方向に張り出している。なお、張出凹部９を有する凹部８は回転軸７の図１紙面下側の一部に設けられている。また、凹部８に珪素鋼、アームコ鉄などからなる取付部材１０が取り付けられ、取付部材１０の両側部に矩形状の張出凸部１１が設けられ、張出凸部１１が張出凹部９に係合しており、回転軸７に取付部材１０が取り付けられた状態の、取付部材１０が取り付けられた部分の回転軸７、取付部材１０の断面外形は円形である。また、取付部材１０の回転軸７側の面すなわち内側面には永久磁石１２が取り付けられている。なお、永久磁石１２は取付部材１０の図１紙面上側の一部に設けられ、永久磁石１２はステータ２と対向する所に位置している。また、回転軸７に取付部材１０を取り付けるには、永久磁石１２が取り付けられた取付部材１０を図１紙面上方に移動して、取付部材１０を凹部８内に挿入する。
【００１５】
このような永久磁石埋め込みモータにおいては、回転軸７にロータが取り付けられていないから、構造が簡単であり、また回転軸７の内部にスリットを設ける必要がないから、製造が容易である。また、取付部材１０の張出凸部１１が張出凹部９に係合しているから、回転軸７が回転したときの遠心力によって取付部材１０が回転軸７から外れるのを確実に防止することができる。また、回転軸７が炭素鋼からなるから、回転軸７の強度が大きく、しかも取付部材１０が珪素鋼、アームコ鉄などからなるから、取付部材１０のリラクタンスが小さい。
【００１６】
図３は本発明に係る他の永久磁石埋め込みモータの一部を示す断面図で、図２と同様の断面図である。図に示すように、回転軸７に凹部２１が設けられ、凹部２１の底部両側には三角状の張出凹部２２が設けられている。また、凹部２１に取付部材２３が取り付けられ、取付部材２３に三角状の張出凸部２４が設けられ、張出凸部２４が張出凹部２２に係合しており、回転軸７に取付部材２３が取り付けられた状態の、取付部材２３が取り付けられた部分の回転軸７、取付部材２３の断面外形は円形である。また、取付部材２３の内側面には永久磁石１２が取り付けられている。そして、その他の構成は図１、図２に示した永久磁石埋め込みモータと同様の構成である。
【００１７】
このような永久磁石埋め込みモータにおいては、回転軸７にロータが取り付けられていないから、構造が簡単であり、また回転軸７の内部にスリットを設ける必要がないから、製造が容易である。また、取付部材２３の張出凸部２４が張出凹部２２に係合しているから、回転軸７が回転したときの遠心力によって取付部材２３が回転軸７から外れるのを確実に防止することができる。
【００１８】
図４は本発明に係る他の永久磁石埋め込みモータの一部を示す断面図で、図２と同様の断面図である。図に示すように、回転軸７に凹部３１が設けられ、凹部３１の両側部には半円状の第１の半円凹部３２が設けられている。また、凹部３１に取付部材３３が取り付けられ、回転軸７に取付部材３３が取り付けられた状態の、取付部材３３が取り付けられた部分の回転軸７、取付部材３３の断面外形は円形である。また、取付部材３３の側部に半円状の第２の半円凹部３４が設けられ、凹部３１に取付部材３３が取り付けられた状態では半円凹部３２と半円凹部３４とが円形状となり、この状態で半円凹部３２、３４内にピン３５が設けられている。そして、半円凹部３２、３４によって形成された円の直径とピン３５の直径とは等しい。また、取付部材３３の内側面には永久磁石１２が取り付けられている。そして、その他の構成は図１、図２に示した永久磁石埋め込みモータと同様の構成である。
【００１９】
このような永久磁石埋め込みモータにおいては、回転軸７にロータが取り付けられていないから、構造が簡単であり、また回転軸７の内部にスリットを設ける必要がないから、製造が容易である。また、円形状となった半円凹部３２、３４内にピン３５が設けられているから、回転軸７が回転したときの遠心力によって取付部材３３が回転軸７から外れるのを確実に防止することができる。また、回転軸７に張出凹部を設ける必要がないから、製造が容易である。
【００２０】
なお、上述実施の形態においては、回転軸７に矩形状の張出凹部９、三角状の張出凹部２２を設けたが、他の形状の張出凹部を設けてもよい。また、上述実施の形態においては、回転軸７に張出凹部９、２２を設け、また回転軸７、取付部材３３に半円凹部３２、３４を設け、半円凹部３２、３４内にピン３５を設けたが、回転軸の凹部に取付部材を接着により取り付けてもよく、この場合には製造が容易である。
【図面の簡単な説明】
【００２１】
【図１】本発明に係る永久磁石埋め込みモータを示す概略断面図である。
【図２】図１のＡ−Ａ拡大断面図である。
【図３】本発明に係る他の永久磁石埋め込みモータの一部を示す断面図である。
【図４】本発明に係る他の永久磁石埋め込みモータの一部を示す断面図である。
【符号の説明】
【００２２】
１…ケーシング
２…ステータ
７…回転軸
８…凹部
９…張出凹部
１０…取付部材
１１…張出凸部
１２…永久磁石
２１…凹部
２２…張出凹部
２３…取付部材
２４…張出凸部
３１…凹部
３２…第１の半円凹部
３３…取付部材
３４…第２の半円凹部
３５…ピン
【図１】
2008154329.tif 000003
【図２】
2008154329.tif 000004
【図３】
2008154329.tif 000005
【図４】
2008154329.tif 000006